(57)【要約】      （修正有）【課題】嗅覚及び聴覚が非常に発達し警戒心が強いため、通り道内に設置した捕獲器を簡単に認知し避けて脇道を堀るモグラの習性を逆手にとり、脇道の先に仕掛けを埋めて仕掛けることが出来、効果的にモグラを退治捕獲が出来る方法の器具を提供する。【解決手段】釣り針７の付いたテグス針で退治捕獲する器具を、モグラの通り道１０上に設置し、テグス針やその塊をモグラの通り道１０及びその脇道１１周辺に塞ぎかつ埋める。【選択図】図１
2013123430.tif 000002
【特許請求の範囲】
【請求項１】
横から見て足付きＴ字型の上部に蓋となる板があり、蓋板下に付いている板の下部に開けた数個の穴にスナップ付タル型サルカンを固定し、該サルカンに複数のモグラに絡まる長さのテグスを塊状に取付けモグラの通り道及びその周辺脇道に埋め込み構成したことを特徴とするモグラ退治捕獲器具。
【請求項２】
モグラに絡まるテグスの先端には釣針を付けたことを特徴とする請求項１記載のモグラ退治捕獲器具。
【発明の詳細な説明】
【技術分野】
【０００１】
本発明は、モグラが掘った通り道に横から見て足付きT字型の板（以下「器具」と言う）を土に差し込み器具を固定し、器具の下部に開けた数個の穴にスナップ付タル型サルカンをそれぞれ付け、そのサルカンに通したテグスに釣り針を付けたテグス針（以下「テグス針」と云う）の塊を、モグラが地中に掘った通り道内に塞ぎ、克つその周辺に埋めて、手足がテグスや釣り針に絡み刺さることで、モグラの通り道やその周辺の地中における捕食生存活動を妨げ、退治捕獲する事によりモグラによる被害を無くすための器具に関するものである。
【背景技術】
【０００２】
特許文献１および特許文献2など従来からのモグラ対策は、モグラの通り道に対してのみの仕掛けが多くあり、嗅覚及び聴覚が発達しているため通り道内に設置した捕獲器を簡単に認知し、捕獲が容易でなく、通り道周辺に対する対策も為されてないので効果が限定される。そして、ひと目で器具の設置場所特定が難しいために、捕獲したモグラの回収及び捕獲器具の脱着が手間で、何処に何個埋めたか解ら無くなる可能性があり、畑を耕すなどの農作業に不便である。だけど本件出願は、ひと目で器具の設置が分かるため、農作用上の安全及び捕獲後の回収処理や仕掛けた器具の撤去移動の手間もいらず簡単であり、モグラの通り道のみならずその周辺にも駆除の効果が発揮出来る。
【０００３】
このようなモグラの被害をなくそうと、昔よりモグラの捕獲器が色々と考案され、使用に供されてきた。
【先行技術文献】
【特許文献】
【０００４】
【特許文献１】実開平７−３９４６２号公報
【特許文献２】実開平3−１１２２７６号公報
【発明の概要】
【発明が解決しようとする課題】
【０００５】
本発明は以上のような、従来流通している捕獲器具類を使用してのモグラの捕獲は容易ではないということに鑑み、非常に簡単な手段により、農作業もしやすく克つモグラのミミズ捕食生活環境及びその生存を困難にし、モグラの習性を逆手にとりモグラの通り道及びその周辺に於いて退治捕獲する方法の提供を課題とする。
【課題を解決するための手段】
【０００６】
上記課題を解決するために本発明は、モグラの通り道上に退治捕獲器具を設置し、器具の下部に吊るしたテグス針の塊で通り道を塞ぎ、モグラに側道を掘らせて、その側道となる地中にテグス針の塊を器具よりぶら下げて埋込み、モグラがテグス針に絡み刺さることで退治捕獲する器具の製造使用方法とした。
【発明の効果】
【０００７】
本発明に係るモグラ退治捕獲器具は、モグラがテグス針に絡み刺さる経験をすれば、モグラの通り道内の活動を阻止し、他の地域に移動するか、えさのミミズを捕食出来ず餓死するか、釣り針に掛かり捕獲死することになる。又、モグラの掘った通り道上に器具を置くことにより、退治捕獲器具の設置場所がひと目で分かり農作業の邪魔にならず、設置場所の撤去移動も簡単である。捕獲したモグラも取り出すこともなく土の肥料となり、その後も、そのままの状態で器具の性能は維持出来て手間がいらない。モグラによる被害の減少により農家の生産意欲も増し、以上の説明から明らかなように本発明にあたって効果が得られる。
【図面の簡単な説明】
【０００８】
【図１】本発明に係るモグラ退治捕獲器を仕掛けた状態の一例を示した説明図である。
【図２】本発明に係るモグラ退治捕獲器の一例を示した説明図である。
【図３】本発明に係るモグラ退治捕獲器を横からの一例を示した説明図である。
【発明を実施するための形態】
【０００９】
以下、本発明を詳細に図面に基づいて説明する。
【実施例１】
【００１０】
図1は、本発明に係るモグラ退治捕獲器を仕掛けた状態の一例を示した説明図である。従来の退治捕獲器では、モグラの通り道10に仕掛けることが主目的であったが、本発明では図2のモグラ退治捕獲器をモグラの通り道10上に設置し、器具の蓋板下に付いている板部分2の下に開けた穴4にスナップ付タル型サルカン5を付け、それにテグス6を通し釣り針7を付けたものをテグス針8と云う。そして、モグラの通り道10にテグス針8を丸めて作った塊9で塞ぎ仕掛ける。  蓋となる板1があることにより、仕掛けの設置場所が一目で分かる。テグス針の塊9をモグラの通り道に塞ぎ、テグス針の塊9をモグラの通り道10の脇にそれぞれ不規則にモグラが脇道を掘ると予測するところに埋めることにより、簡単にモグラが仕掛けに掛かり獲る形態とする。
【００１１】
本発明では図２をモグラの通り道10上に置き、木、プラスチック、金属類で横から見たＴ字型の器具図３からなる。土の上にかぶさり蓋の役目となる器具の上部蓋1は、図２の仕掛けの設置場所が一目で分かり目印となり、農作業の安全上の目印ともなる。そして器具の蓋板下に付いている板部分2とその両脇の足の部分3を土に埋めて器具を固定し、仕掛けが動かない形態である。器具の蓋板下に付いている板部分2に開けた数個の穴4はスナップ付タル型サルカン5を付けるための穴であり、スナップ付タル型サルカン5に数本のテグス針8を通す。スナップ付タル型サルカン5は、穴4に対する脱着が簡単である。
【００１２】
モグラはとても警戒心が強いので、モグラの通り道10に、ハリス針の塊9を感知すれば脇道11を堀、迂回して仕掛けを避けると言った用心深いところがあるので、その習性を逆手にとり迂回路11の前方にテグス針の塊9−1を土中に埋めて仕掛ける。同様に11−1に於ける9−2も同じ仕掛けである。ハリス6や釣り針7の太細や大きさは、モグラの警戒心に応じて自由に変えられる利点がある。
【００１３】
モグラ退治捕獲器具図２を図１のように仕掛けて月日が立っても、図１の器具の蓋の板部分1が地上に出ているため、すぐに視認出来農作業がやりやすく、仕掛けの移動も簡単である。
【００１４】
本発明のモグラ退治捕獲器具図１にモグラが仕掛けにかかっても、モグラを取り出す必要はなく、放置していても土の肥料となり、器具の能力に影響はない。
【００１５】
本発明は、実施例１に於いて示したように、モグラ退治捕獲器具としての能力が優れている形態である。
【産業上の利用可能性】
【００１６】
モグラによる被害の減少により農業に於ける収穫増大で生産性の向上が見込まれ、農家の生産意欲も増します。本発明のモグラ退治捕獲器具に使われているテグス及び釣り針の新たなる用途が開発され、釣り道具製造業種にとっても良いことである。
【符号の説明】
【００１７】
１    器具の蓋の板部分
２    器具の蓋板下に付いている板部分                                                                                    
３    足
４    穴
５    スナップ付タル型サルカン
６    テグス
７    釣り針
８    ハリス針
９    ハリス針の塊  
９−１    〃
９−２    〃
１０  モグラの通り道
１１  モグラの脇道
１１−１  〃
【図１】
2013123430.tif 000003
【図２】
2013123430.tif 000004
【図３】
2013123430.tif 000005
【手続補正書】
【提出日】平成24年1月4日(2012.1.4)
【手続補正１】
【補正対象書類名】特許請求の範囲
【補正対象項目名】全文
【補正方法】変更
【補正の内容】
【特許請求の範囲】
【請求項１】
横から見て足付き板２の上部に蓋となる板１があり、蓋板１の下に付いている板２に開けた数個の穴４にスナップ付タル型サルカン５を固定し、該サルカン５に複数のモグラに絡まる長さのテグス６を塊状に取付けモグラの通り道１０及びその周辺脇道１１に埋め込み構成したことを特徴とするモグラ退治捕獲器具。
【請求項２】
モグラに絡まるテグス６の先端には釣針７を付けたことを特徴とする請求項１記載のモグラ退治捕獲器具。
【手続補正２】
【補正対象書類名】明細書
【補正対象項目名】０００８
【補正方法】変更
【補正の内容】
【０００８】
【図１】本発明に係るモグラ退治捕獲器を仕掛けた状態の一例を示した説明図である。
【図２】本発明に係るモグラ退治捕獲器の一例を示した説明図である。
【図３】本発明に係るモグラ退治捕獲器を横からの一例を示した説明図である。
【図４】本発明の別実施例を示す説明図である。
【手続補正３】
【補正対象書類名】明細書
【補正対象項目名】００１５
【補正方法】変更
【補正の内容】
【００１５】
図４は、本発明の別実施例を示すもので蓋となる板１の両側に足付き板２・２−１を蓋１の下に付けると共に該足付き板２・２−１に数個の穴４を設けスナップ付タル型サルカン５を固定してモグラの絡まる長さのテグス６を塊状に取り付けたものである。
【手続補正４】
【補正対象書類名】図面
【補正対象項目名】図４
【補正方法】追加
【補正の内容】
【図４】
2013123430.tif 000006